【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
骨格となるフレームにクッション材を載置して表皮材で被覆されて構成され、前記クッション材と前記表皮材の間にシートヒータを備えた車両用シートであって、
該クッション材は、シート幅方向の中央部分にあるクッション本体部と、該クッション本体部の左右外側にあるクッションサイド部と、を有し、
該クッションサイド部には、凹部が形成され、
該凹部は、シート幅方向において前記クッション材が前記フレームと当接している範囲内に配置され、かつ、シート幅方向において前記範囲の外側の端部分よりも内側に位置するように配置され、
前記フレームは、シート幅方向の側方に配置される左右のサイドフレーム部を有し、
前記凹部は、前記サイドフレーム部のうち、前記凹部側に最も突出している部分と重なる位置に配置されており、かつ、前記表皮材を吊り込むための吊り込み溝よりもシート幅方向において外側に位置するように配置されていることを特徴とする車両用シート。
【請求項２】
前記吊り込み溝は、前記クッションサイド部のうち、前記サイドフレーム部側とは反対側に最も突出している部分よりもシート幅方向において内側に配置されていることを特徴とする請求項１に記載の車両用シート。
【請求項３】
前記クッションサイド部は、シート幅方向の外側に向かうに従って前記サイドフレーム部側とは反対側に突出するように形成され、
前記吊り込み溝は、前記クッションサイド部のうち、前記サイドフレーム部側とは反対側に最も突出していない部分に近い位置に配置され、かつ、該最も突出していない部分よりもシート幅方向において内側に配置されていることを特徴とする請求項１又は２に記載の車両用シート。
【請求項４】
前記吊り込み溝は、前記サイドフレーム部のうち、前記凹部側に最も突出している部分よりも前記クッション材の裏面に向かって深く形成されていることを特徴とする請求項１乃至３のいずれか１項に記載の車両用シート。
【請求項５】
前記凹部のシート幅方向における内側端部は、前記サイドフレーム部のうち、シート幅方向の外側に向かうに従って前記凹部側に突出していく部分と重なる位置に配置されており、
前記凹部は、前記サイドフレーム部のうち、前記凹部側に最も突出している部分をシート幅方向において跨るように配置されていることを特徴とする請求項１乃至４のいずれか１項に記載の車両用シート。
【請求項６】
前記凹部は、前記シートヒータを収納させるための収納凹部であって、
前記シートヒータは、シート状のシート基材と、該シート基材に取り付けられるヒータ線と、を備えていることを特徴とする請求項１乃至５のいずれか１項に記載の車両用シート。
【請求項７】
前記収納凹部は、シート幅方向において両端部分から中央部分に向かうに従って深くなるように形成され、
前記ヒータ線が、前記収納凹部において前記両端部分よりも前記中央部分側に配置されていることを特徴とする請求項６に記載の車両用シート。
【請求項８】
シートクッションとシートバックが連結される連結部分を備え、
前記収納凹部は、前記クッションサイド部のシート幅方向とは直交する延出方向に沿って延びるように形成され、かつ、前記延出方向において前記連結部分から離れるに従って幅広となるように形成され、かつ、前記延出方向において前記クッションサイド部の略中央部分から前記連結部分側とは反対側に向かうに従って幅狭となるように形成されていることを特徴とする請求項６又は７に記載の車両用シート。
【請求項９】
乗員の頭を後方から支持するヘッドレストをさらに備えていることを特徴とする請求項１乃至８のいずれか１項に記載の車両用シート。
【手続補正２】
【補正対象書類名】明細書
【補正対象項目名】０００９
【補正方法】変更
【補正の内容】
【０００９】
前記課題は、本発明の車両用シートによれば、骨格となるフレームにクッション材を載置して表皮材で被覆されて構成され、前記クッション材と前記表皮材の間にシートヒータを備えた車両用シートであって、該クッション材は、シート幅方向の中央部分にあるクッション本体部と、該クッション本体部の左右外側にあるクッションサイド部と、を有し、該クッションサイド部には、凹部が形成され、該凹部は、シート幅方向において前記クッション材が前記フレームと当接している範囲内に配置され、かつ、シート幅方向において前記範囲の外側の端部分よりも内側に位置するように配置され、前記フレームは、シート幅方向の側方に配置される左右のサイドフレーム部を有し、前記凹部は、前記サイドフレーム部のうち、前記凹部側に最も突出している部分と重なる位置に配置されており、かつ、前記表皮材を吊り込むための吊り込み溝よりもシート幅方向において外側に位置するように配置されていること、により解決される。
上記のように、クッションサイド部には、凹部が形成されているため、シートの着座面に凹凸が発生することがなく、着座者に違和感を与えることがないシートヒータ付き車両用シートを実現できる。
特に、クッションサイド部においては、一般に表皮材の裏面に対して薄いワディング材が取り付けられるか、そもそもワディング材が取り付けられていないことが多く、シートヒータ設置による着座感の影響が大きくなるため、本発明の効果が際立つようになる。
また、上記のように、凹部は、シート幅方向においてクッション材がフレームと当接している範囲内に配置され、かつ、シート幅方向において前記範囲の外側の端部分よりも内側に位置するように配置されているため、凹部が形成された部分がフレームに好適に支持され、当該部分における過度な弾性変形が抑制される。その結果、シートヒータの変形が抑制され、ヒータ機能を好適に維持することができる。
【手続補正３】
【補正対象書類名】明細書
【補正対象項目名】００１０
【補正方法】変更
【補正の内容】
【００１０】
このとき、前記吊り込み溝は、前記クッションサイド部のうち、前記サイドフレーム部側とは反対側に最も突出している部分よりもシート幅方向において内側に配置されていると良い。
【手続補正４】
【補正対象書類名】明細書
【補正対象項目名】００１１
【補正方法】変更
【補正の内容】
【００１１】
このとき、前記クッションサイド部は、シート幅方向の外側に向かうに従って前記サイドフレーム部側とは反対側に突出するように形成され、前記吊り込み溝は、前記クッションサイド部のうち、前記サイドフレーム部側とは反対側に最も突出していない部分に近い位置に配置され、かつ、該最も突出していない部分よりもシート幅方向において内側に配置されていると良い。
【手続補正５】
【補正対象書類名】明細書
【補正対象項目名】００１２
【補正方法】変更
【補正の内容】
【００１２】
このとき、前記吊り込み溝は、前記サイドフレーム部のうち、前記凹部側に最も突出している部分よりも前記クッション材の裏面に向かって深く形成されていると良い。
また、前記凹部のシート幅方向における内側端部は、前記サイドフレーム部のうち、シート幅方向の外側に向かうに従って前記凹部側に突出していく部分と重なる位置に配置されており、前記凹部は、前記サイドフレーム部のうち、前記凹部側に最も突出している部分をシート幅方向において跨るように配置されていると良い。
【手続補正６】
【補正対象書類名】明細書
【補正対象項目名】００１３
【補正方法】変更
【補正の内容】
【００１３】
このとき、前記凹部は、前記シートヒータを収納させるための収納凹部であって、前記シートヒータは、シート状のシート基材と、該シート基材に取り付けられるヒータ線と、を備えていると良い。
また、前記収納凹部は、シート幅方向において両端部分から中央部分に向かうに従って深くなるように形成され、前記ヒータ線が、前記収納凹部において前記両端部分よりも前記中央部分側に配置されていると良い。
上記構成により、シートヒータにおいて重要なヒータ線の変形が一層抑制される。
【手続補正７】
【補正対象書類名】明細書
【補正対象項目名】００１４
【補正方法】変更
【補正の内容】
【００１４】
このとき、シートクッションとシートバックが連結される連結部分を備え、前記収納凹部は、前記クッションサイド部のシート幅方向とは直交する延出方向に沿って延びるように形成され、かつ、前記延出方向において前記連結部分から離れるに従って幅広となるように形成され、かつ、前記延出方向において前記クッションサイド部の略中央部分から前記連結部分側とは反対側に向かうに従って幅狭となるように形成されていると良い。
一般にシートクッションのサイドボルスター部分については、そのシート前方部分及び中央部分が、着座者の臀部が支持される部分であって着座荷重が加わる部分である。
そのため、当該シート前方部分及び中央部分が、シートヒータによって好適に暖めたい部分であって、かつ、シートヒータの変形を抑制し、着座感の影響を抑えたい部分となる。
そこで、上記収納凹部の構成とすれば、シートヒータの好適な形状、配置を実現し、かつ、シートヒータの変形を抑制することができる。また着座感への影響を抑えられる。
【手続補正８】
【補正対象書類名】明細書
【補正対象項目名】００１５
【補正方法】変更
【補正の内容】
【００１５】
このとき、乗員の頭を後方から支持するヘッドレストをさらに備えていると良い。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】変更
【補正の内容】
【００２０】
本発明によれば、シートの着座面に凹凸が発生することがなく、着座者に違和感を与えることがないシートヒータ付き車両用シートを実現できる。
特に、クッションサイド部においては、シートヒータ設置による着座感の影響が大きくなるため、本発明の効果が一層際立つ。
また、クッション材において収納凹部が形成された部分がフレームに好適に支持され、当該部分における過度な弾性変形が抑制される。その結果、シートヒータの変形が抑制され、ヒータ機能を好適に維持できる。
また本発明によれば、クッション材において収納凹部が形成された部分が、サイドフレーム部の支持剛性が高い部分によって一層好適に支持される。
また本発明によれば、収納凹部に収納されたシートヒータの変形が一層抑制される。
また本発明によれば、シートヒータにおいて重要なヒータ線の変形が一層抑制される。
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】